【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
第一方向へ移動不能に拘束されるベースと、
前記第一方向の一方側である前側を向く前記ベースの前面から前記前側に突出可能な押し棒と、
前記ベースに設けられ、前記押し棒を前記前側に移動させる棒移動機構と、
前記ベースに取り付けられ、前記棒移動機構による前記押し棒の移動を、前記第一方向に対して鋭角を成す第二方向にガイドする棒ガイドと、
を備え、
前記棒移動機構は、前記第一方向に垂直な仮想面に対して傾斜し且つ前記前側を向くテーパ面が形成されているテーパ形成体を有し、前記テーパ形成体は、前記テーパ面が前記押し棒における前記前側とは反対の後側の端面に接触しつつ前記後側の端面に対して、前記仮想面が広がっている方向に相対移動可能に、前記ベースに設けられている、
動翼の取外装置。
【請求項２】
第一方向へ移動不能に拘束されるベースと、
前記第一方向の一方側である前側を向く前記ベースの前面から前記前側に突出可能な押し棒と、
前記ベースに設けられ、前記押し棒を前記前側に移動させる棒移動機構と、
前記ベースに取り付けられ、前記棒移動機構による前記押し棒の移動を、前記第一方向に対して鋭角を成す第二方向にガイドする棒ガイドと、
を備え、
前記棒移動機構は、前記前側を向くテーパ面が形成されているテーパ形成体を有し、
前記テーパ形成体の前記テーパ面が前記押し棒における前記前側とは反対の後側の端面に接触しつつ移動することで、前記押し棒を前記前側に移動させ、
前記棒移動機構は、前記第一方向に延びる回転中心軸を有し、
前記テーパ形成体は、前記回転中心軸を中心として回転可能に前記回転中心軸に取り付けられ、
前記テーパ面は、前記回転中心軸に対する周方向に延びている、
動翼の取外装置。
【請求項３】
第一方向へ移動不能に拘束されるベースと、
前記第一方向の一方側である前側を向く前記ベースの前面から前記前側に突出可能な押し棒と、
前記ベースに設けられ、前記押し棒を前記前側に移動させる棒移動機構と、
前記ベースに取り付けられ、前記棒移動機構による前記押し棒の移動を、前記第一方向に対して鋭角を成す第二方向にガイドする棒ガイドと、
を備え、
前記棒移動機構は、前記前側を向くテーパ面が形成されているテーパ形成体を有し、
前記テーパ形成体の前記テーパ面が前記押し棒における前記前側とは反対の後側の端面に接触しつつ移動することで、前記押し棒を前記前側に移動させ、
前記前記押し棒における前記後側の前記端面は円弧状を成す、
動翼の取外装置。
【請求項４】
請求項１から３のいずれか一項に記載の動翼の取外装置において、
前記ベースは、前記棒移動機構が設けられると共に、前記棒ガイドが取り付けられるフレームと、前記フレームの前記第一方向への移動を拘束する移動拘束機構と、
を有し、
前記移動拘束機構は、前記フレームよりも前記前側又は前記前側とは反対の後側に少なくとも一部が配置される押付部材を有し、
前記ベースは、前記移動拘束機構である第一移動拘束機構の他に、前記第一方向及び前記第二方向に垂直な第三方向への前記フレームの移動を拘束する第二移動拘束機構を有し、
前記第二移動拘束機構は、前記第三方向の一方側を向く面であって、前記ベースよりも前記第三方向の前記一方側に位置して前記第一方向に延びる仮想軸を中心として、円弧状を成す円弧面を有し、
前記棒ガイドは、前記第二方向に貫通し、前記押し棒が摺接可能なガイド孔を有し、
前記棒ガイドは、前記ベースに対して着脱可能である、
動翼の取外装置。
【請求項５】
請求項１又は３に記載の動翼の取外装置において、
前記棒移動機構は、回転中心軸を有し、
前記テーパ形成体は、前記回転中心軸を中心として回転可能に前記回転中心軸に取り付けられ、
前記テーパ面は、前記回転中心軸に対する周方向に延びている、
動翼の取外装置。
【請求項６】
請求項２又は５に記載の動翼の取外装置において、
前記テーパ形成体は、前記回転中心軸を中心として回転する回転板と、前記回転板の外周から前記回転中心軸に対する放射方向に延びているハンドルと、を有し、
前記テーパ面は、前記回転板に形成されている、
動翼の取外装置。
【請求項７】
請求項１から６のいずれか一項に記載の動翼の取外装置と、
ロータ軸と、
前記ロータ軸の外周側に取り付けられる複数の動翼と、
を備え、
前記動翼は、前記ロータ軸に対する径方向に延びて翼形を成す翼体と、前記翼体の径方向内側に設けられている翼根と、を有し、
前記ロータ軸には、径方向外側から径方向内側に向かって凹み、前記ロータ軸が延びる軸方向に対して鋭角を成す傾斜方向に延びて、前記翼根が挿入される翼根溝が形成され、
前記第一方向に対する前記第二方向がなす角度は、前記軸方向に対する前記傾斜方向が成す角度に一致する、
ロータセット。
【請求項８】
請求項４に記載の動翼の取外装置と、
ロータ軸と、
前記ロータ軸の外周側に取り付けられる複数の動翼と、
を備え、
前記動翼は、前記ロータ軸に対する径方向に延びて翼形を成す翼体と、前記翼体の径方向内側に設けられている翼根と、を有し、
前記ロータ軸には、径方向外側から径方向内側に向かって凹み、前記ロータ軸が延びる軸方向に対して鋭角を成す傾斜方向に延びて、前記翼根が挿入される翼根溝が形成され、
前記第一方向に対する前記第二方向がなす角度は、前記軸方向に対する前記傾斜方向が成す角度に一致し、
前記取外装置は、前記棒ガイドである第一棒ガイドの他に、第二棒ガイドを有し、
前記第二棒ガイドは、前記第一棒ガイドの前記ガイド孔の形状とは異なる形状の第二ガイド孔を有する、
ロータセット。
【請求項９】
ロータ軸の外周側に取り付けられている動翼の取外方法において、
前記動翼は、前記ロータ軸に対する径方向に延びて翼形を成す翼体と、前記翼体の径方向内側に設けられている翼根と、を有し、
前記ロータ軸には、径方向外側から径方向内側に向かって凹み、前記ロータ軸が延びる軸方向に対して鋭角を成す傾斜方向に延びて、前記翼根が挿入される翼根溝が形成され、
第一方向へ移動不能に拘束されるベースと、前記第一方向の一方側である前側を向く前記ベースの前面から前記前側に突出可能な押し棒と、前記ベースに設けられ、前記押し棒を前記前側に移動させる棒移動機構と、前記ベースに取り付けられ、前記棒移動機構による前記押し棒の移動を、前記第一方向に対して鋭角を成す第二方向にガイドする棒ガイドと、を備える取外装置を準備する準備工程と、
前記ロータ軸で前記軸方向を向く軸方向端面に前記ベースの前記前面を接触させると共に、前記押し棒の前記前側の端面と前記翼根とを対向させ、前記軸方向に前記第一方向が一致し且つ前記傾斜方向に前記第二方向が一致するよう、前記取外装置の前記ベースを配置する配置工程と、
前記棒移動機構により前記押し棒を前記前側に移動させる棒移動工程と、
を実行し、
前記準備工程で準備する前記取外装置における前記棒移動機構は、前記第一方向に垂直な仮想面に対して傾斜し且つ前記前側を向くテーパ面が形成されているテーパ形成体を有し、
前記棒移動工程では、前記テーパ形成体を、前記テーパ面が前記押し棒における前記前側とは反対の後側の端面に接触させつつ前記後側の端面に対して、前記仮想面が広がっている方向に相対移動させる、
動翼の取外方法。
【請求項１０】
ロータ軸の外周側に取り付けられている動翼の取外方法において、
前記動翼は、前記ロータ軸に対する径方向に延びて翼形を成す翼体と、前記翼体の径方向内側に設けられている翼根と、を有し、
前記ロータ軸には、径方向外側から径方向内側に向かって凹み、前記ロータ軸が延びる軸方向に対して鋭角を成す傾斜方向に延びて、前記翼根が挿入される翼根溝が形成され、
第一方向へ移動不能に拘束されるベースと、前記第一方向の一方側である前側を向く前記ベースの前面から前記前側に突出可能な押し棒と、前記ベースに設けられ、前記押し棒を前記前側に移動させる棒移動機構と、前記ベースに取り付けられ、前記棒移動機構による前記押し棒の移動を、前記第一方向に対して鋭角を成す第二方向にガイドする棒ガイドと、を備える取外装置を準備する準備工程と、
前記ロータ軸で前記軸方向を向く軸方向端面に前記ベースの前記前面を接触させると共に、前記押し棒の前記前側の端面と前記翼根とを対向させ、前記軸方向に前記第一方向が一致し且つ前記傾斜方向に前記第二方向が一致するよう、前記取外装置の前記ベースを配置する配置工程と、
前記棒移動機構により前記押し棒を前記前側に移動させる棒移動工程と、
を実行し、
前記準備工程で準備する前記取外装置における前記棒移動機構は、前記前側を向くテーパ面が形成されているテーパ形成体と、前記第一方向に延びる回転中心軸を有し、
前記テーパ形成体は、前記回転中心軸を中心として回転可能に前記回転中心軸に取り付けられ、前記テーパ面は、前記回転中心軸に対する周方向に延びており、
前記棒移動工程では、前記テーパ形成体を前記回転中心軸を中心として回転させる、
動翼の取外方法。
【請求項１１】
ロータ軸の外周側に取り付けられている動翼の取外方法において、
前記動翼は、前記ロータ軸に対する径方向に延びて翼形を成す翼体と、前記翼体の径方向内側に設けられている翼根と、を有し、
前記ロータ軸には、径方向外側から径方向内側に向かって凹み、前記ロータ軸が延びる軸方向に対して鋭角を成す傾斜方向に延びて、前記翼根が挿入される翼根溝が形成され、
第一方向へ移動不能に拘束されるベースと、前記第一方向の一方側である前側を向く前記ベースの前面から前記前側に突出可能な押し棒と、前記ベースに設けられ、前記押し棒を前記前側に移動させる棒移動機構と、前記ベースに取り付けられ、前記棒移動機構による前記押し棒の移動を、前記第一方向に対して鋭角を成す第二方向にガイドする棒ガイドと、を備える取外装置を準備する準備工程と、
前記ロータ軸で前記軸方向を向く軸方向端面に前記ベースの前記前面を接触させると共に、前記押し棒の前記前側の端面と前記翼根とを対向させ、前記軸方向に前記第一方向が一致し且つ前記傾斜方向に前記第二方向が一致するよう、前記取外装置の前記ベースを配置する配置工程と、
前記棒移動機構により前記押し棒を前記前側に移動させる棒移動工程と、
を実行し、
前記準備工程で準備する前記取外装置における前記棒移動機構は、前記前側を向くテーパ面が形成されているテーパ形成体を有し、
前記押し棒における前記前側とは反対の後側の端面は円弧状を成し、
前記棒移動工程では、前記テーパ形成体の前記テーパ面を前記押し棒における前記後側の前記端面に接触させつつ移動させることで、前記押し棒を前記前側に移動させる、
動翼の取外方法。
【請求項１２】
請求項９から１１のいずれか一項に記載の動翼の取外方法において、
前記準備工程は、
前記第二方向に貫通し、互いに異なる形状のガイド孔を有する複数の棒ガイド、及び複数の前記棒ガイドに対応した押し棒を準備する棒ガイド準備工程と、
複数の前記棒ガイドのうちから、前記翼根の形状に対応したガイド孔を有する棒ガイドを選択すると共に、選択した前記棒ガイドに対応する押し棒を選択する選択工程と、
前記選択工程で選択した前記棒ガイドを前記ベースに取り付けると共に、前記選択工程で選択した前記押し棒を前記棒ガイドに沿わせる棒ガイド取付工程と、を含む、
動翼の取外方法。
【請求項１３】
請求項９から１２のいずれか一項に記載の動翼の取外方法において、
前記準備工程で準備する前記取外装置における前記ベースは、前記棒移動機構が設けられると共に、前記棒ガイドが取り付けられるフレームと、前記フレームよりも前記前側又は前記前側とは反対の後側に少なくとも一部が配置される押付部材と、を有し、
前記配置工程では、前記押付部材を前記フレームの前側又は後側に配置し、前記ロータ軸で前記軸方向を向く軸方向端面に前記押付部材を接触させる、
動翼の取外方法。
【請求項１４】
請求項９又は１１に記載の動翼の取外方法において、
前記準備工程で準備する前記取外装置における前記棒移動機構は、回転中心軸を有し、
前記テーパ形成体は、前記回転中心軸を中心として回転可能に前記回転中心軸に取り付けられ、前記テーパ面は、前記回転中心軸に対する周方向に延びており、
前記棒移動工程では、前記テーパ形成体を前記回転中心軸を中心として回転させる、
動翼の取外方法。